(57)【要約】【課題】構造が簡単で乾燥効率を良くすることができ、また、使い勝手の良い靴乾燥装置を提供することを目的とする。【解決手段】送風装置に接続される二股部３と、二股部３に接続される下方に向いた一対のホース部６と、ホース部６に設けた吹出手段７とを備え、吹出手段７をホース部６の下方に設けた下方孔部８と側方に設けた側方孔部９により形成し、ホース部６を伸縮自在なジャバラにより構成することにより、構造が簡単で乾燥効率を良くすることができる靴乾燥装置が得られる。【選択図】図１
2007050061.tif 000002
【特許請求の範囲】
【請求項１】
送風装置に接続される二股部と、この二股部に接続される下方に向いた一対のホース部と、このホース部に設けた吹出手段とを備え、前記吹出手段を、前記ホース部の下方に設けた下方孔部と、側方に設けた側方孔部により、構成した靴乾燥装置。
【請求項２】
側方孔部を複数設けた請求項１記載の靴乾燥装置。
【請求項３】
ホース部を伸縮可能とした請求項１または２記載の靴乾燥装置。
【請求項４】
二股部を送風装置に接続される水平方向の入口部と、この入口部に水平面で回動可能に設け、ホース部に接続される二股状部により形成した請求項１〜３いずれかに記載の靴乾燥装置。
【請求項５】
ホース部に設けた下方孔部を斜め下方または略水平方向に変更する風向変更手段を設けた請求項１記載の靴乾燥装置。
【請求項６】
風向変更手段としてホース部の先端近くに角度調整部を設けた請求項５記載の靴乾燥装置。
【請求項７】
風向変更手段としてホース部の先端に曲り部を着脱自在に設けた請求項５記載の靴乾燥装置。
【請求項８】
一対のホース部の各々の外周に靴の上部に係合または嵌合可能なフィルター部を設け、前記フィルター部を脱臭機能を有する構成とした請求項１記載の靴乾燥装置。
【請求項９】
フィルター部を抗菌、抗かび、抗アレルギー機能を有する構成とした請求項８記載の靴乾燥装置。
【発明の詳細な説明】
【技術分野】
【０００１】
本発明は、短靴または長靴内にホース部を介して送風し、靴内の湿分を乾燥させる靴乾燥装置に関する。
【背景技術】
【０００２】
従来、この種の靴乾燥機の一例として靴乾燥用アタッチメントが知られている（例えば、特許文献１参照）。
【０００３】
以下、その靴乾燥用アタッチメントについて図１０および図１１を参照しながら説明する。
【０００４】
図に示すように、への字状に形成されたノズル本体１０１のノズル部１０２は、乾燥風発生手段である布団乾燥機１０３から送り込まれた風の吹出口１０４および靴内底部との間に隙間を形成する突起１０５を設け、布団乾燥機１０３に温風吹出用ホース１０６、二股ジョイント１０７および靴乾燥用ホース１０８を介して接続され構成されている。
【０００５】
また、他の例として靴乾燥用アタッチメントおよびこれを備えた靴乾燥装置が知られている（例えば、特許文献２参照）。
【０００６】
以下、その靴乾燥用アタッチメントおよびこれを備えた靴乾燥装置について図１２および図１３を参照しながら説明する。
【０００７】
図に示すように、ホース２０１の一端は、温風発生装置２０２に接続され他端は、靴乾燥用アタッチメント２０３に接続され、靴乾燥用アタッチメント２０３はホース２０１と接続される嵌合基部２０４と、嵌合基部２０４より二股に分岐して固定脚部を形成する第１のパイプ２０５ａと第２のパイプ２０５ｂからなるパイプ部２０５と、第１、第２のパイプ２０５ａ、２０５ｂの外側面に沿って差し込まれて軸方向にスライドするスライド脚部を構成する第１のスライドパイプ２０６ａと第２のスライドパイプ２０６ｂからなるスライドパイプ部２０６を設けている。第１、第２のスライドパイプ２０６ａ、２０６ｂの終端部には底面２０６ｃ、２０６ｄが設けられて塞がれ、終端部近傍には、第１、第２の温風吹出口２０７ａ、２０７ｂが設けられ、温風吹出口２０７ａ、２０７ｂとほぼ同じ面上の軸方向には一定間隔で脚部長さの調整孔とともに、補助温風吹出孔を兼ねた第１、第２の孔部２０８ａ、２０８ｂが設けられ構成されている。
【特許文献１】特開２００１−２７６４９６号公報（［００１０］〜［００１４］、図１、図２）
【特許文献２】特開２００５−６６０７０号公報（［００１０］〜［００１４］、図１、図４）
【発明の開示】
【発明が解決しようとする課題】
【０００８】
このような従来の靴乾燥用アタッチメントでは、ノズル本体１０１をへの字に形成してノズル部１０２を設け、靴の内底部に装着して靴を乾燥するもので、アタッチメントの構造が複雑であるという課題があり、構造を簡単にすることが要求されている。
【０００９】
また、温風吹出用ホース１０６と靴乾燥用ホース１０８は二股ジョイント１０７により一定の位置関係において接続されているため、布団乾燥機１０３と乾燥をする靴との位置が常に一定の位置関係におかなければならなく使い勝手が悪いという課題があり、接続口の位置を可変にして容易に接続できるようにすることが要求されている。
【００１０】
また、従来の靴乾燥用アタッチメントおよびこれを備えた靴乾燥装置においては、靴乾燥用アタッチメント２０３を二股に分岐した固定脚部の第１、第２のパイプ２０５ａ、２０５ｂにスライド脚部の第１、第２のスライドパイプ２０６ａ、２０６ｂをスライドさせて、靴の高さに対応させるように設けていたが、固定脚部とスライド脚部の２種類の部材が必要で構造も複雑であるという課題があり、構造を簡単にすることが要求されている。
【００１１】
本発明は、このような従来の課題を解決するものであり、構造が簡単で乾燥効率も良くすることができ、また、使い勝手の良い靴乾燥装置を提供することを目的としている。
【課題を解決するための手段】
【００１２】
本発明の靴乾燥装置は上記目的を達成するために、送風装置に接続される二股部と、この二股部に接続される下方に向いた一対のホース部と、このホース部に設けた吹出手段とを備え、前記吹出手段を、前記ホース部の下方に設けた下方孔部と、側方に設けた側方孔部により構成したものである。
【００１３】
この手段により、構造が簡単で靴の乾燥が効率良くできる靴乾燥装置が得られる。
【００１４】
また、他の手段は、側方孔部を複数設けたものである。
【００１５】
この手段により、効率の良い靴乾燥装置が得られる。
【００１６】
また、他の手段は、ホース部を伸縮可能としたものである。
【００１７】
この手段により、軽量化を図ることができ、使い勝手の良い靴乾燥装置が得られる。
【００１８】
また、他の手段は、二股部を送風装置に接続される水平方向の入口部と、この入口部に水平面で回動可能に設け、ホース部に接続される二股状部により形成したものである。
【００１９】
この手段により、送風装置との接続が容易となる使い勝手の良い靴乾燥装置が得られる。
【００２０】
また、他の手段は、ホース部に設けた下方孔部を斜め下方または略水平方向に変更する風向手段を設けたものである。
【００２１】
この手段により、乾燥効率の良い靴乾燥装置が得られる。
【００２２】
また、他の手段は、風向変更手段としてホース部の先端近くに角度調整部を設けたものである。
【００２３】
この手段により、セットし易い靴乾燥装置が得られる。
【００２４】
また、他の手段は、風向変更手段としてホース部の先端に曲り部を着脱自在に設けたものである。
【００２５】
この手段により、靴底部のつま先部分の乾燥を効果的に行うことができる靴乾燥装置が得られる。
【００２６】
また、他の手段は、一対のホース部の各々の外周に靴の上部に係合または、嵌合可能なフィルター部を設け、前記フィルター部を脱臭機能を有する構成としたものである。
【００２７】
この手段により、靴からの臭気を脱臭することができるとともに靴の乾燥効率を高めることのできる靴乾燥装置が得られる。
【００２８】
また、他の手段は、フィルター部を抗菌、抗かび、抗アレルギー機能を有する構成としたものである。
【００２９】
この手段により、クリーンな排気ができる靴乾燥装置が得られる。
【発明の効果】
【００３０】
本発明によれば、構造が簡単で靴の乾燥を効率良くできるという効果のある靴乾燥装置を提供できる。
【００３１】
また、軽量化を図ることができ、また、使い勝手の良いという効果のある靴乾燥装置を提供できる。
【００３２】
また、送風装置との接続が容易となる使い勝手の良いという効果のある靴乾燥装置を提供できる。
【００３３】
また、セットしやすい靴乾燥装置を提供できる。
【００３４】
また、靴から発生する臭気を脱臭することができるという効果のある靴乾燥装置を提供できる。
【００３５】
また、クリーンな排気ができる靴乾燥装置を提供できる。
【発明を実施するための最良の形態】
【００３６】
本発明の請求項１記載の発明は、送風装置に接続される二股部と、この二股部に接続される下方に向いた一対のホース部と、このホース部に設けた吹出手段とを備え、前記吹出手段を、前記ホース部の下方に設けた下方孔部と側方に設けた側方孔部により構成したものであり、ホース部の先端を靴内の底部にまで到達するように挿入して靴乾燥をするとき、ホース部の先端が靴の底部に当接した場合には、送風装置より送られた送風が側方穴部からいきおいよく出て靴底内に行き渡らせることができ、また、ホース部の先端が靴の底部に当接していない場合には、下方孔部と側方孔部の両方から送風され靴底内を効率良く乾燥できるという作用を有する。
【００３７】
また、請求項２記載の発明は、側方孔部を複数設けたものであり、靴底内の四方にまんべんなく送風することが可能となり、靴底内を効率良く乾燥できるという作用を有する。
【００３８】
また、請求項３記載の発明は、ホース部を伸縮可能としたものであり、ホース部をジャバラのように伸縮することにより、ホース部を短縮させたときは短靴の靴乾燥を行うことができ、ホース部を伸ばしたときは、ホース部先端の下方孔部や側方孔部から送風されて長靴や長いブーツの靴底部から上部に向けて送風が効果的に送られ靴乾燥を行うことができるとともに、ホース部を伸縮可能にすることで、軽量化を図ることができ、使い勝手が良くなるという作用を有する。
【００３９】
また、請求項４記載の発明は、二股部を送風装置に接続される水平方向の入口部と、この入口部に水平面で回動可能に設け、ホース部に接続される二股状部により形成したものであり、送風装置と靴乾燥装置を一定関係位置に置かなくても、二股部の入口部を送風装置に向けて回動することにより、送風装置の送風用ホース先端の接続口と二股部の入口部を容易に接続することができるという作用を有する。
【００４０】
また、請求項５記載の発明は、ホース部に設けた下方孔部を斜め下方または略水平方向に変更する風向変更手段を設けたものであり、靴底部のつま先方向にホース先端の下方孔部を斜め下方または水平方向に向くようにホース先端の近くからジャバラ部分を折り曲げてセットすると、靴底部のつま先から効果的に送風できることとなり、より乾燥効果を向上させるという作用を有する。
【００４１】
また、請求項６記載の発明は、風向変更手段としてホース部の先端近くに角度調整部を設けたものであり、角度調整部としてストローに設けている屈曲部と同様に形成することにより、ホース部先端の下方孔部を靴底部のつま先に向けて曲げやすくなって、セットしやすいという作用を有する。
【００４２】
また、請求項７記載の発明は、風向変更手段としてホース部の先端に曲り部を着脱自在に設けたものであり、サイズの大きな靴のつま先部分や、つま先の細い靴のつま先にも送風を効果的に送風が可能となるという作用を有する。
【００４３】
また、請求項８記載の発明は、一対のホース部の各々の外周に靴の上部に係合または嵌合可能なフィルター部を設け、前記フィルター部を脱臭機能を有する構成としたものであり、靴内部を乾燥させたときに発生する臭気を排気時にフィルター部を通過させることで臭気成分を脱臭させるとともに、フィルター部で靴の開口部をふたするので、乾燥時に靴内部の内圧を高めることにより、効果的に乾燥することができるという作用を有する。
【００４４】
また、請求項９記載の発明は、フィルター部を抗菌、抗かび、抗アレルギー機能を有する構成としたものであり、ウイルスや、かびや、アレルゲンを不活化してクリーンな排気をすることができるという作用を有する。
【００４５】
以下、本発明の実施の形態について図面を参照しながら説明する。
【００４６】
（実施の形態１）
図１〜図４に示すように、送風装置１に送風ホース２を介して接続される二股部３を送風ホース２に接続される水平方向の入口部４と、入口部４に水平面で回動可能に設けた二股状部５により形成し、二股部３の二股状部５に下方に向いた一対の伸縮自在なジャバラ状に形成されたホース部６を設け、ホース部６には吹出手段７を設け、吹出手段７は、下方に設けた下方孔部８と側方に複数設けた側方孔部９により形成し構成する。
【００４７】
上記構成において、ゴム長靴１０を乾燥するときには、図３に示すように、ホース部６の一部を伸ばしてゴム靴１０の内底面に当接するように長さを調整し、二股部３の入口部４を送風装置１の送風ホース２に接合できるように、二股状部５に対し、入口部４を水平方向に回動して送風ホース２の接続口と対向させて接続を行う。次に送風装置１を運転すると送風装置１からの送風は送風ホース２を通り二股部３内に送られ、一対のホース部６に分離され、ホース部６に設けた吹出手段７の下方孔部８および複数の側方孔部９よりゴム長靴１０の靴底部内に向かい送風され、ゴム長靴１０内の湿気分が乾燥されることとなる。
【００４８】
また、図４に示すように、ブーツ等の長靴１１を乾燥するときには、長靴１１の長さに合わせてホース部６の大部分を伸ばして長靴１１の内底面に届くように長さを調整し、送風装置１に連結された送風ホース２を二股部３の入口部４に接続を行う。その後送風装置１を運転すると送風装置１からの送風は送風ホース２を通り二股部３内に送られ、一対のホース部６に分離され、ホース部６に設けた吹出手段７の下方孔部８および複数の側方孔部９より長靴１１の靴底内に向かい送風され長靴１１内の湿気分が乾燥されることとなる。
【００４９】
このように実施の形態１の発明によれば、送風装置１に接続される二股部３と、二股部３に接続される下方に向いた一対のホース部６と、ホース部６に設けた吹出手段７とを備え、吹出手段７を、ホース部６の下方に設けた下方孔部８と、側方に設けた側方孔部９により構成したので、ホース部６の先端がゴム長靴１０または長靴１１内の底部近傍にまで到達するように挿入されて乾燥が行われ、ホース部６の先端がゴム長靴１０または長靴１１の底部にまで到達した場合には、側方孔部９から送風がいきおいよく出て靴底内に行きわたらせて乾燥することができる。また、ホース部６の先端が長靴１１などの底部まで距離があって当接しない場合でも、下方孔部８と側方孔部９の両方から送風され、靴底内に行きわたり、効率の良い靴乾燥を行うことができることとなる。
【００５０】
また、側方孔部９を複数設けたので、側方孔部９から靴底内の四方にまんべんなく送風することが可能となり、より効率が高められることとなる。
【００５１】
また、ホース部６をジャバラ形状のように伸縮自在に設けたので、ホース部６を収縮させたときには、短靴（図示せず）の靴乾燥を行うことができ、ホース部６を伸ばしたときには、ホース部６先端の下方孔部８や側方孔部９から風を吹き出してゴム靴１０やブーツなどの長靴１１を靴底部から靴の内部に送風を効果的に行うことができ、複数の部材を用い伸縮させる場合と比較して軽量化を図ることができ、使い勝手も良くなることとなる。
【００５２】
また、二股部３を送風装置１に接続される水平方向の入口部４と、入口部４に水平面で回動可能に設け、ホース部６に接続される二股状部５により形成したので、送風装置１と靴乾燥装置が一定の位置関係に置かなくても二股部３の入口部４を送風装置１に向けて回動することにより、送風装置１の送風ホース２の端部と二股部３の入口部４とを容易に接続することができることとなる。
【００５３】
なお、実施の形態１では、送風装置１により送風した送風気流により靴を乾燥することとしたが、靴が傷まない程度の低温の温風を送風するようにしても同様の作用効果をもたらすことはいうまでもない。
【００５４】
（実施の形態２）
図５に示すように、ホース部６Ａに設けた吹出手段７Ａの下方孔部８Ａを下方または略水平方向に風向を変更する風向変更手段１３として角度調整部１２を、ストローに設けた屈曲部と同様の構成により形成するとともに、ホース部６Ａの先端近くに設け構成する。
【００５５】
上記構成においては、ホース部６Ａに設けた下方孔部８Ａを斜め下方または略水平方向に変更する風向変更手段１３を設けていることにより、靴底部のつま先１４方向にホース部６Ａの先端に設けた下方孔部８Ａを斜め下方または水平方向に向くようにホース部６Ａの先端近くからホース部６Ａを折り曲げてセットすると、靴底部のつま先１４に効果的に送風することができ、乾燥効果を向上させることができることとなる。
【００５６】
また、角度調整部１２をストローに設けた屈曲部と同様の構成としているので、角度調整部１２は屈曲された状態で保持されることとなり、ホース部６Ａを靴内にセットしやすくすることができることとなる。
【００５７】
なお、実施の形態２ではホース部６Ａをジャバラ状に形成したものを用いて説明したが、図６に示すように、ホース部６Ａの一部をパイプ状に形成しても良いことはいうまでもない。
【００５８】
（実施の形態３）
図７に示すように、風向変更手段１３Ａとしてホース部６Ｂの先端に靴底部のつま先１４Ａに向かう形状で端部にはつま先側吹出口１５を有し、途中には四周側吹出口１６を設け、略Ｌ字状に曲った曲り部１７をホース部６Ｂに着脱自在に設け構成する。
【００５９】
上記構成においては、サイズの大きい靴１０Ａのつま先１４Ａ部分や、つま先１４Ａの細い靴１０Ａのつま先１４Ａにも、つま先側吹出口１５により送風を効果的に行うことができ、靴１０Ａのサイズにより曲り部１７の大きさを変えるようにすることにより、さらに乾燥効率を高めることができることとなる。
【００６０】
（実施の形態４）
図８に示すように、一対のホース部６Ｃの各々の外周に靴１０Ｂの上部に係合または嵌合可能なフィルター部１８を設け、フィルター部１８を活性炭等により脱臭機能を有する構成とする。
【００６１】
上記構成においては、送風装置（図示せず）より送風ホース２Ａを介して送られた送風は、二股部３Ａにより一対のホース部６Ｃに分離され、靴内に送風され靴内の湿気分が乾燥され靴１０Ｂの上部より排気される。このとき、靴１０Ｂの上部より排気される排気流に含まれる不快な臭気は靴１０Ｂに設けたフィルター部１８により吸着され、脱臭された排気が靴１０Ｂの外に排気されることとなる。
【００６２】
また、靴１０Ｂの上部の開口部がフィルター部１８により閉鎖されることにより乾燥時に靴１０Ｂの内部の内圧が高まり、乾燥を効果的に行うことができることとなる。
【００６３】
（実施の形態５）
図９に示すように、フィルター部１８Ａは不繊布などのフィルター素材に緑茶カテキンを添着し、ウイルスの活動を抑制させるウイルスの抗菌機能と、酵素と金属からなる無機抗菌剤を添着し、かび菌、浮遊菌を除去するバイオ除菌機能およびダニ、花粉、ペット等より捕集したアレルゲンの活動を抑制するフェノール系ポリマーを添着し、アレルゲンの活動機能を有する構成とする。
【００６４】
上記構成において、フィルター部１８Ａは不繊布などのフィルター素材に添着した緑茶カテキンによりウイルスの活動が抑制され、リゾチームなどの酵素とＣｕなどの金属を主成分とするバイオ除菌作用により、かび菌や浮遊菌が除去され、抗アレルゲン物質として添着したフェノール系ポリマーにより、ダニ、花粉、ペット等のアレルゲン物質の活動が抑制されることとなり、靴乾燥後の空気に含まれる有害物質を抑制し、クリーンな排気をすることができることとなる。
【産業上の利用可能性】
【００６５】
ジャバラ状の伸縮自在なホース部を利用して、乾燥空気を局部的に放出して長靴などを乾燥できる除湿乾燥装置のアタッチメントの用途にも適用できる。
【図面の簡単な説明】
【００６６】
【図１】本発明の実施の形態１の靴乾燥装置の構成を示す正面図
【図２】同靴乾燥装置を送風装置に接続した状態を示す斜視図
【図３】同靴乾燥装置をゴム長靴にセットした状態を示す断面図
【図４】同靴乾燥装置をブーツなどの長靴にセットした状態を示す断面図
【図５】本発明の実施の形態２の靴乾燥装置の構成を示す断面図
【図６】同他の靴乾燥装置の構成を示す断面図
【図７】本発明の実施の形態３の靴乾燥装置の構成を示す断面図
【図８】本発明の実施の形態４の靴乾燥装置の構成を示す断面図
【図９】本発明の実施の形態５の靴乾燥装置の構成を示す断面図
【図１０】従来の靴乾燥用アタッチメントと乾燥風発生手段との関係を示す側面図
【図１１】同靴乾燥用アタッチメントの二股ジョイント部分を示す斜視図
【図１２】同他の靴乾燥用アタッチメントを布団乾燥機に接続した状態を示す説明図
【図１３】同乾燥用アタッチメントの分解斜視図
【符号の説明】
【００６７】
１      送風装置
３      二股部
４      入口部
５      二股状部
６      ホース部
６Ａ    ホース部
６Ｂ    ホース部
６Ｃ    ホース部
７      吹出手段
８      下方孔部
８Ａ    下方孔部
９      側方孔部
１０Ｂ  短靴
１２    角度調整部
１３    風向変更手段
１３Ａ  風向変更手段
１７    曲り部
１８    フィルター部
１８Ａ  フィルター部
【図１】
2007050061.tif 000003
【図２】
2007050061.tif 000004
【図３】
2007050061.tif 000005
【図４】
2007050061.tif 000006
【図５】
2007050061.tif 000007
【図６】
2007050061.tif 000008
【図７】
2007050061.tif 000009
【図８】
2007050061.tif 000010
【図９】
2007050061.tif 000011
【図１０】
2007050061.tif 000012
【図１１】
2007050061.tif 000013
【図１２】
2007050061.tif 000014
【図１３】
2007050061.tif 000015